(57)【要約】      （修正有）【課題】使用者の状態に能動的に作用する機能をアイウエアに提供する。【解決手段】アイウエアは、中央部１１２と周辺部１１４とを備えるレンズ１１０を有し、レンズは、使用者がアイウエアを装着した状態で使用者から見た場合において、レンズ１１０の中央部１１２は透過率が相対的に大きく、レンズ１１０の周辺部１１４は透過率が相対的に小さい。【選択図】図３
2020030390.tif 000002
【特許請求の範囲】
【請求項１】
アイウエアであって、
中央部と周辺部とを備えるレンズを有し、
前記レンズは、使用者が前記アイウエアを装着した状態で使用者から見た場合において、前記レンズの前記中央部は透過率が相対的に大きく、前記レンズの前記周辺部は透過率が相対的に小さい、
アイウエア。
【請求項２】
請求項１に記載のアイウエアであって、
前記周辺部は、低透過層を有する、
アイウエア。
【請求項３】
請求項２に記載のアイウエアであって、
前記周辺部は、視界制御材料を有する、
アイウエア。
【請求項４】
請求項１から３のいずれか一項に記載のアイウエアであって、さらに、
使用者の状態を検知するためのセンサを有する、
アイウエア。
【請求項５】
請求項４に記載のアイウエアであって、
前記センサで検知した使用者の状態に応じて、前記レンズの前記周辺部の透過率が変更されるように構成される、
アイウエア。
【請求項６】
アイウエアであって、
中央部と周辺部とを備えるレンズを有し、
前記レンズの前記中央部および前記周辺部は焦点距離が異なり、前記中央部は、光が使用者の網膜上に結像する焦点距離を備え、前記周辺部は、光が使用者の網膜上に結像しない焦点距離を備える、
アイウエア。
【請求項７】
アイウエアに着脱可能なアイウエアアクセサリであって、
中央部と周辺部とを備えるレンズを有し、
使用者が前記アイウエアアクセサリが取り付けられた前記アイウエアを装着した状態で使用者から見た場合に、前記レンズの前記中央部は透過率が相対的に大きく、前記レンズの前記周辺部は透過率が相対的に小さい、
アイウエアアクセサリ。
【請求項８】
請求項７に記載のアイウエアアクセサリであって、
前記周辺部は、低透過層を有する、
アイウエアアクセサリ。
【請求項９】
請求項８に記載のアイウエアアクセサリであって、
前記周辺部は、視界制御材料を有する、
アイウエアアクセサリ。
【請求項１０】
請求項７から９のいずれか一項に記載のアイウエアアクセサリであって、
アイウエアは、使用者の状態を検知するためのセンサを有し、
前記アイウエアアクセサリは、前記センサで検知した使用者の状態に応じて、前記レンズの前記周辺部の透過率が変更されるように構成される、
アイウエアアクセサリ。
【請求項１１】
アイウエアに着脱可能なアイウエアアクセサリであって、
中央部と周辺部とを備えるレンズを有し、
前記レンズの前記中央部および前記周辺部は焦点距離が異なり、前記中央部は、光が使用者の網膜上に結像する焦点距離を備え、前記周辺部は、光が使用者の網膜上に結像しない焦点距離を備える、
アイウエアアクセサリ。
【請求項１２】
請求項７から１１のいずれか一項に記載のアイウエアアクセサリであって、
前記アイウエアアクセサリは機械式または磁気式にアイウエアに取り付けられるように構成される、
アイウエアアクセサリ。
【請求項１３】
アイウエアまたはアイウエアアクセサリに使用されるレンズであって、
中央部と周辺部とを有し、
使用者が前記レンズが取り付けられたアイウエアまたはアイウエアアクセサリを装着した状態で使用者から見た場合に、前記レンズの前記中央部は透過率が相対的に大きく、前記レンズの前記周辺部は透過率が相対的に小さい、
レンズ。
【請求項１４】
請求項１３に記載のレンズであって、
前記周辺部は、低透過層を有する、
レンズ。
【請求項１５】
請求項１４に記載のレンズであって、
前記周辺部は、視界制御材料を有する、
レンズ。
【請求項１６】
アイウエアまたはアイウエアアクセサリに使用されるレンズであって、
中央部と周辺部とを有し、
前記レンズの前記中央部および前記周辺部は焦点距離が異なり、前記中央部は、光が使用者の網膜上に結像する焦点距離を備え、前記周辺部は、光が使用者の網膜上に結像しない焦点距離を備える、
レンズ。
【発明の詳細な説明】
【技術分野】
【０００１】
本願は、アイウエアおよびアイウエアアクセサリ、またこれらに使用するレンズに関する。
【背景技術】
【０００２】
眼電位を検出するセンサや、ジャイロセンサなどを搭載したアイウエアが知られている。このようなアイウエアにおいては、各種センサから得た情報をもとに、使用者の瞬目や視線、使用者の動きを検出することができる。さらに、各種センサから得た情報をもとに、使用者の眠気や、集中度などの状態を推定することも行われている。
【先行技術文献】
【特許文献】
【０００３】
【特許文献１】特開２０１５−２０２１８７号公報
【特許文献２】特開２０１８−７５２５５号公報
【発明の概要】
【発明が解決しようとする課題】
【０００４】
上述のようなセンサを備えるアイウエアは、使用者の状態を受動的に検知することは出来るが、使用者に能動的に作用するような機能はない。本願は、使用者の状態に能動的に作用する機能をアイウエアに提供することを１つの目的としている。
【課題を解決するための手段】
【０００５】
一実施形態によれば、アイウエアが提供され、かかるアイウエアは、中央部と周辺部とを備えるレンズを有し、前記レンズは、使用者が前記アイウエアを装着した状態で使用者から見た場合において、前記レンズの前記中央部は透過率が相対的に大きく、前記レンズの前記周辺部は透過率が相対的に小さい。
【図面の簡単な説明】
【０００６】
【図１】一実施形態によるアイウエアを前方から模式的に示す斜視図である。
【図２】図１に示されるアイウエアを後方から示す斜視図である。
【図３】一実施形態によるアイウエアのレンズを概略的に示す正面図である。
【図４】一実施形態によるアイウエアのレンズを概略的に示す正面図である。
【図５】一実施形態によるアイウエアアクセサリを前方から模式的に示す斜視図である。
【図６】図５に示されるアイウエアアクセサリがアイウエアに取り付けられるときの様子を示す斜視図である。
【図７】一実施形態によるアイウエアアクセサリを前方から模式的に示す斜視図である。
【図８】図７に示されるアイウエアアクセサリがアイウエアに取り付けられるときの様子を示す斜視図である。
【図９】透過率を説明するための概略図である。
【図１０】一実施形態による、視界制御フィルムを使用したレンズ１１０の見え方を示す概略図である。
【発明を実施するための形態】
【０００７】
以下に、本発明に係るアイウエア、アイウエアに取り付け可能なアイウエアアクセサリ、およびこれらに使用されるレンズの実施形態を添付図面とともに説明する。添付図面において、同一または類似の要素には同一または類似の参照符号が付され、各実施形態の説明において同一または類似の要素に関する重複する説明は省略することがある。また、各実施形態で示される特徴は、互いに矛盾しない限り他の実施形態にも適用可能である。また、図面は模式的なものであり、必ずしも実際の寸法や比率等とは一致しない。図面相互間においても互いの寸法の関係や比率が異なる部分が含まれていることがある。
【０００８】
図１は一実施形態によるアイウエアを前方から模式的に示す斜視図である。図２は、図１に示されるアイウエアを後方から示す斜視図である。アイウエア１００は、全体として一般的に知られているメガネと同様または類似の形状である。アイウエア１００は、レンズ１１０およびフレーム１２０を備える。
【０００９】
使用者は、レンズ１１０を通して外界を見ることができる。レンズ１１０は視力矯正機能を備えてもよく、視力矯正機能を備えなくてもよい。また、レンズ１１０の材質はガラスや樹脂などとすることができる。また、レンズ１１０は無色でも有色でもよい。また、レンズ１１０は、後述するように、透過率の大きい中央部と、透過率の小さい周辺部と、を有する。
【００１０】
フレーム１２０は、一対のレンズ１１０を支持する。フレーム１２０は、リム１２２と、ブリッジ１２４と、ヨロイ１２６と、ヒンジ１２８と、テンプル１３０と、モダン１３２と、一対のノーズパッド１４０と、を有する。また、一実施形態によるフレーム１２０は、眼電位を検知するための眼電位センサ１５０、ジャイロセンサ１６０、および加速度センサ１６５を備える。一実施形態において、フレーム１２０は、さらに別のセンサを備えてもよい。また、図示の実施形態によるフレーム１２０は、眼電位センサ１５０、ジャイロセンサ１６０、および加速度センサ１６５から得られた情報を処理する処理装置２００を備える。さらに、フレーム１２０は、処理装置２００や各種センサに電力を与えるためのバッテリ１７０を備える。また、フレーム１２０は、各種センサ１５０、１６０、１６５や処理装置２００に電力の供給を開始するための電源スイッチ１７２を備えることができる。眼電位を検知するためのセンサ１５０、ジャイロセンサ１６０、加速度センサ１６５、バッテリ１７０、電源スイッチ１７２、および処理装置２００は、必ずしもアイウエア１００に必要ではないので省略可能である。
【００１１】
リム１２２は、レンズ１１０を保持し、前面及び後面を有する。後面は、テンプル１３０を折り畳む側の面であり、前面は、後面の反対側の面である。ヨロイ１２６は、リム１２２の外側に設けられ、ヒンジ１２８によりテンプル１３０を回転可能に保持する。テンプル１３０は、使用者の耳の上部を押圧して、アイウエア１００を使用者の所定位置に保持させる機能を持つ。モダン１３２は、テンプル１３０の後ろ側の先端に設けられる。モダン１３２は、使用者の耳の上部に接触する。リム１２２、ヨロイ１２６、ヒンジ１２８、テンプル１３０、及びモダン１３２は、それぞれ左右一対に設けられる。なお、モダン１３２は、必ずしもアイウエア１００に設ける必要はない。
【００１２】
一対のノーズパッド１４０は、右ノーズパッド１４２及び左ノーズパッド１４４を含む。一実施形態において、眼電位センサ１５０は、ノーズパッド１４０に設けられる。たとえば、右ノーズパッド１４２は、眼電位センサ１５０を構成する第１電極Ｅ１０及び第２電極Ｅ１２を含み、左ノーズパッド１４４は、眼電位センサ１５０を構成する第３電極Ｅ２０及び第４電極Ｅ２２を含む。図示の実施形態においては、眼電位を検出するための電極を、使用者の皮膚に必然的に接触するノーズパッドの表面に設けられる。これにより、使用者の眼の周囲に二対の電極を接触させるのに比べて、使用者の皮膚に与える負担を軽減することができる。
【００１３】
一実施形態において、処理装置２００は、アイウエア１００のデザイン性を損なうことがない位置に設けられることが望ましい。一実施形態において、処理装置２００は、入出力機構、メモリ、およびプロセッサなどを備えるものとすることができる。また、必要であれば、処理装置２００は、各種センサの出力を変換、増幅するためのＡ／Ｄ変換器やアンプなどを備えていてもよい。処理装置２００は、眼電位センサ１５０、ジャイロセンサ１６０、および加速度センサ１６５などのセンサからの出力を受信する。一実施形態において、処理装置２００は、眼電位センサ１５０からの眼電位の情報から使用者の瞬目、視線の変化などの使用者の状態および状態変化を判断する。一実施形態において、処理装置２００は、ジャイロセンサ１６０からの角速度の情報から、使用者の姿勢の変化などの状態および状態変化を判断する。一実施形態において、処理装置２００は、加速度センサ１６５からの加速度の情報から、使用者の運動状態および状態変化などを判断する。一実施形態において、処理装置２００は、眼電位センサ１５０からの眼電位の情報、ジャイロセンサ１６０からの角速度の情報、および加速度センサ１６５からの加速度の情報、などを任意に組み合わせて総合的に使用者の状態あるいは状態変化を判断してもよい。なお、処理装置２００で各種センサからの情報を処理せずに、後述の外部装置３００により上述の処理を行ってもよい。その場合、処理装置２００は、各種センサからの検出値を外部装置３００へ出力する。
【００１４】
一実施形態において、処理装置２００は、テンプル１３０に設けられる。処理装置２００の設置位置は、必ずしもテンプル１３０である必要はなく、アイウエア１００を装着した際のバランスを考慮して位置決めすればよい。また、ジャイロセンサ１６０、加速度センサ１６５、およびバッテリ１７０もアイウエア１００を装着した際のバランスを考慮して位置決めすればよい。
【００１５】
一実施形態によるアイウエア１００は、外部装置３００と通信可能に構成される。一実施形態による外部装置３００は、通信機能を有する情報処理装置である。例えば、外部装置３００は、使用者が所持する携帯電話及びスマートフォン等の携帯通信端末やパーソナルコンピュータ等である。外部装置３００は、処理装置２００から受信した情報に基づいて処理を実行する。例えば、外部装置３００は、処理装置２００から受信した眼電位信号や角速度の信号から、瞬目や視線移動、姿勢の変化を検出することができる。また、外部装置３００は、処理装置２００からの出力の履歴から使用者の状態や状態変化を判断してもよい。
【００１６】
上述したように、一実施形態によるレンズ１１０は、透過率の大きい中央部と、透過率の小さい周辺部と、を有する。ここで、レンズ１１０の透過率は、使用者がアイウエア１００を装着した状態で使用者の目に向かう方向に測定されるものとする。つまり、外界からレンズ１１０を通して使用者の目に向かう方向の光において、レンズ１１０に入る入射光のうち、レンズ１１０を出て使用者の目に向かう光の割合が透過率である。図９は、透過率を説明するための概略図である。図９において、Ｉ０は、外界からレンズ１１０に垂直に入射する光を示している。レンズ１１０に入射する光Ｉ０は、レンズ１１０を通って使用者の目に向かう。レンズ１１０に入射する光Ｉ０のうち、レンズ１１０を通って使用者の目に向かう光をＩ１とする。図９に示される例においては、レンズ１１０に入射する光Ｉ０の一部はレンズ１１０の前面で散乱し（Ｉ２、Ｉ３）、またレンズ１１０の後面で散乱する（Ｉ４、Ｉ５）。この場合、本明細書でいう透過率は、Ｉ１／Ｉ０となる。そのため、レンズ１１０の材料自体の透過率が大きくても、レンズ１１０の表面で光が多方向に散乱する場合は、本明細書でいう透過率は相対的に小さくなる。また、透過率は、レンズ１１０を通して光が屈折する場合は、使用者の目に向かう方向に測定される。図９において、Ｉ１１は、レンズ１１０から使用者の方向に斜めに向かう光を示している。図示のようにレンズ１１０が凹レンズとなっている場合、光はレンズ１１０により屈折するので、レンズ１１０から使用者の方向に斜めに向かう光Ｉ１１に対応するレンズ１１０への外界からの入射光は、Ｉ１１の延長線上ではなく、屈折率に応じて角度が異なるＩ０１である。そのため、透過率は、Ｉ１１／Ｉ０１となる。
【００１７】
図３、図４は一実施形態によるアイウエアのレンズ１１０を概略的に示す正面図である。図３に示される実施形態において、レンズ１１０は、相対的に透過率の大きい中央部１１２と、相対的に透過率の小さい周辺部１１４を備えている。図３に示される実施形態において、周辺部１１４は、アイウエア１００の使用者から見てレンズ１１０の横方向の外側に位置する外側周辺部１１４ａ、およびアイウエア１００の使用者から見てレンズ１１０の横方向の内側に位置する内側周辺部１１４ｂを備えている。一実施形態において、レンズ１１０は、外側周辺部１１４ａだけを備えて、内側周辺部１１４ｂを備えなくてもよい。また、一実施形態において、レンズ１１０は、内側周辺部１１４ｂだけを備えて、外側周辺部１１４ａを備えなくてもよい。
【００１８】
図４に示される実施形態において、レンズ１１０は、相対的に透過率の大きい中央部１１２と、相対的に透過率の小さい周辺部１１６を備えている。図４に示される実施形態において、周辺部１１６は、アイウエア１００の使用者から見てレンズ１１０の縦方向の下側に位置する下側周辺部１１６ａ、およびアイウエア１００の使用者から見てレンズ１１０の縦方向の上側に位置する上側周辺部１１６ｂを備えている。一実施形態において、レンズ１１０は、下側周辺部１１６ａだけを備えて、上側周辺部１１６ｂを備えなくてもよい。また、一実施形態において、レンズ１１０は、下側周辺部１１６ａだけを備えて、上側周辺部１１６ｂを備えなくてもよい。
【００１９】
一実施形態において、レンズ１１０は、上述の外側周辺部１１４ａ、内側周辺部１１４ｂ、下側周辺部１１６ａ、および上側周辺部１１６ｂを任意に組み合わせた周辺部を備えるものとすることができる。
【００２０】
上述の実施形態において、中央部１１２は、レンズ１１０の概ね中央付近に位置しており、概ね使用者の中心視野に対応する位置に位置している。また、上述の実施形態において、周辺部１１４，１１６は、レンズ１１０の中央部１１２の外側に位置しており、概ね使用者の周辺視野に対応する位置に位置している。人は集中すると有効視野が狭くなることがあるが、逆に、有効視野を狭くすることで人に集中を促すことができると考えられる。特に、デスクワークやＰＣを使った仕事のように、視野が一定の狭い範囲に制限される仕事の場合に有効視野を制限することで人に集中を促すことができると考えられる。
【００２１】
本開示によるアイウエア１００において、レンズ１１０の相対的に透過率が小さい周辺部１１４、１１６は様々な手段で実現することができる。一実施形態において、相対的に透過率が小さい周辺部１１４、１１６は、機械的な手段で実現することができる。たとえば、レンズ１１０を通常のメガネに使用される透明度の高いレンズを使用し、周辺部１１４、１１６に相対的に透過率の低い低透過層を形成することができる。低透過層として、たとえばレンズ１１０の周辺部１１４、１１６の部分に低透過率の材料をコーティングしてもよい。また、たとえばレンズ１１０の周辺部１１４、１１６の部分に低透過率の材料のシールやフィルムを貼り付けることで低透過層を形成してもよい。低透過率の材料のフィルムは偏光フィルムや遮光フィルムとすることができる。また、一実施形態において、レンズ１１０の周辺部１１４、１１６に細かな溝を形成して周辺部１１４、１１６の透過率を低下させてもよい。たとえば、サンドブラストによりレンズ１１０に細かな溝を形成することができる。レンズ１１０の周辺部１１４、１１６の表面にフィルムなどを貼るなどの加工をして低透過層を形成する場合、レンズ１１０の裏面（使用者側の面）および前面のいずれに低透過層を形成してもよい。また、一実施形態において、レンズ１１０は、中央部１１２と周辺部１１４、１１６とで異なる材料から構成されてもよい。たとえば、中央部１１２には透過率の高いレンズ材料を使用し、周辺部１１４、１１６には透過率の低いレンズ材料を使用してもよい。
【００２２】
一実施形態において、レンズ１１０は、中央部１１２と周辺部１１４、１１６とにおいて、使用者から見た見易さが異なるように構成することができる。たとえば、レンズ１１０が、視力矯正機能を備えている場合、中央部１１２のみを使用者の視力を矯正するように、すなわち正視状態になるように構成し、周辺部１１４、１１６は使用者の視力を矯正しないように、あるいは正視状態とならないように構成することができる。より具体的には、レンズ１１０の中央部１１２は、光が使用者の網膜上に結像する焦点距離（または屈折力）を備えるように構成し、レンズ１１０の周辺部１１４、１１６は、光が使用者の網膜上に結像しない焦点距離（または屈折力）を備えるように構成することができる。なお、上述のように相対的に透過率の大きい中央部１１２と、相対的に透過率の小さい周辺部１１４を備えることでも、中央部１１２と周辺部１１４、１１６とにおいて、使用者から見た見易さが異なることになる。
【００２３】
一実施形態において、レンズ１１０は、視界制御材料により形成することができる。一例として、レンズ１１０を視界制御フィルムにより形成することができる。視界制御フィルムは、見る角度によって透過率が変わるフィルムである。視界制御フィルムは、たとえば、視界制御フィルムを垂直に見る場合に透過率が高く、斜めから見ると透過率が低くなるように構成される。図１０は、一実施形態による、視界制御フィルムを使用したレンズ１１０の見え方を示す概略図である。図１０に示されるように、一実施形態において、使用者から見て垂直方向にあるレンズ１１０の中央部１１２は透過率が大きく、使用者から見て斜め方向にある周辺部１１４、１１６は透過率が小さくなる。一実施形態において、レンズ１１０の全体を視界制御フィルムで形成するか、透明度の高いレンズ１１０の前面または裏面の全面に視界制御フィルムを貼り付けることで、アイウエア１００の使用者から見て、中央部１１２では透過率が高く、周辺部１１４、１１６では透過率が低くなる。また、視界制御フィルムは、レンズ１１０の周辺部１１４、１１６の部分にだけ貼り付けてもよい。また、一実施形態により、視界制御ガラスによりレンズ１１０を形成してもよい。
【００２４】
一実施形態において、レンズ１１０の中央部１１２と周辺部１１４、１１６との境界は透過率が徐々に変化するように形成してもよいし、急激にあるいは不連続に透過率が変化するように形成してもよい。また、周辺部１１４、１１６は、外部から見た場合、すなわち第三者から見た場合に、透過率の低い周辺部１１４、１１６の存在が分かり難いように形成されていることが望ましい。たとえば、レンズ１１０に上述のような視界制御材料を使用している場合、第三者がアイウエア１００の使用者を見る角度によっては、透過率の低い周辺部１１４、１１６の存在が分かり難くなる。また、視界制御材料を使用しない場合であっても、周辺部１１４、１１６の透過率を小さくする程度によって、第三者からは周辺部１１４、１１６の存在が分かり難くなり得る。そのため、第三者から見た使用者の外観を害することなく、使用者の集中を促す効果が期待できる。
【００２５】
一実施形態において、相対的に透過率が小さい周辺部１１４、１１６は、電磁気的な手段で実現してもよい。たとえば、一般的な液晶ディスプレイと同様の方法でレンズ１１０の透過率を電磁気的に制御するように構成してもよい。たとえば、レンズ１１０の周辺部１１４、１１６において、偏光方向が異なる２枚の偏光フィルタ板の間に電極および液晶を配置する。電極に与える電圧を変化させて液晶配向を変化させることで、周辺部１１４、１１６の透過率を変化させることができる。電極にはバッテリ１７０から電圧を供給することができる。かかる実施形態においては、電極に電圧を与えていない状態では周辺部１１４、１１６の透過率は、中央部１１２の透過率と同程度とすることができる。そのため、通常時は透過率の低い部分が無いアイウエア１００として使用でき、ＰＣ作業やデスクワークに集中したいときにだけ、周辺部１１４、１１６の透過率を低下させて、作業への集中を促すことができる。
【００２６】
一実施形態において、上述のような電磁気的な手段で周辺部１１４、１１６の透過率を小さくする場合、アイウエア１００のリム１２２またはテンプル１３０にスイッチを設けることができる。この場合、使用者がスイッチを切り替えることで、電磁気的な手段により周辺部１１４、１１６の透過率を小さくするように構成することができる。あるいは、スイッチに代えてまたはスイッチとともに、外部装置３００を使用者が操作することで、電磁気的な手段により周辺部１１４、１１６の透過率を小さくするように構成してもよい。
【００２７】
さらに、アイウエア１００が上述の眼電位センサ１５０、ジャイロセンサ１６０、および加速度センサ１６５などのセンサを有している場合、これらのセンサの出力をもとに処理装置２００または外部装置３００が使用者の状態を判断して、使用者の操作を介さずに処理装置２００または外部装置３００が電磁気的な手段により周辺部１１４、１１６の透過率を小さくするように構成することができる。たとえば、アイウエア１００のセンサからの信号により、使用者の視線が一定期間において所定の範囲内にあり、瞬きの回数が所定回数より少ない場合に、使用者が所定の視覚範囲内にある作業に集中していると判断して、周辺部１１４、１１６の透過率を下げるように構成してもよい。また、一例として、ジャイロセンサ１６０や加速度センサ１６５などのセンサからの信号により使用者の姿勢および姿勢変化を判断して、所定の条件の場合に周辺部１１４、１１６の透過率を下げるように構成してもよい。
【００２８】
一実施形態において、アイウエア１００は、レンズ１１０の後方であり、また、テンプル１３０の下方向の空間の少なくとも一部を遮蔽するための遮蔽部１３１を有する。図１、２に示されるアイウエア１００においては、遮蔽部１３１は、テンプル１３０の一部であり、ヨロイ１２６のすぐ後方に位置している縦方向の寸法の大きな部分である。図示のような遮蔽部１３１により、使用者の周辺視野をより遮蔽することができる。図１、２に示されるアイウエア１００においては、テンプル１３０がレンズ１１０の相対的に上側の位置から後方に延びているが、他の実施形態として、アイウエア１００は、テンプル１３０がレンズ１１０の中央付近または相対的に下側の位置から後方に延びるように構成されてもよい。その場合、遮蔽部１３１は、アイウエア１００のテンプル１３０の上側の空間の一部を遮蔽するように構成してもよく、また、テンプル１３０の上側および下側の両方の空間の一部を遮蔽するように構成してもよい。さらに、一実施形態において、遮蔽部１３１は、レンズ１１０を支持するリム１２２から後側（使用者側）に延びるように設けられてもよい。たとえば、遮蔽部１３１は、レンズ１１０の上側の縁を支持するリム１２２の部分から後側に延びるように設けられてもよい。この場合、使用者の上方向の周辺視野を遮蔽することができる。また、一例として、遮蔽部１３１は、レンズ１１０の下側の縁を支持するリム１２２の部分から後側に延びるように設けられてもよい。この場合、使用者の下方向の周辺視野を遮蔽することができる。また、一実施形態において、遮蔽部１３１は無くてもよい。
【００２９】
図５は、一実施形態によるアイウエアアクセサリ５００を前方から模式的に示す斜視図である。図５に示されるアイウエアアクセサリ５００は、後述のようにアイウエア１００に着脱可能に構成される。図６は、図５に示されるアイウエアアクセサリ５００がアイウエア１００に取り付けられるときの様子を示す斜視図である。
【００３０】
図５に示される実施形態によるアイウエアアクセサリ５００は、レンズ５１０およびフレーム５２０を備える。フレーム５２０は、一対のレンズ５１０を支持する。フレーム５２０は、リム５２２と、ブリッジ５２４と、ヨロイ５２６と、を有する。アイウエアアクセサリ５００のこれらのリム５２２、ブリッジ５２４、およびヨロイ５２６は、取り付け対象であるアイウエア１００のリム１２２、ブリッジ１２４、およびヨロイ１２６と同様または同一のサイズおよび形状であることが望ましい。
【００３１】
アイウエアアクセサリ５００のレンズ５１０は視力矯正機能を備えてもよく、視力矯正機能を備えなくてもよい。また、レンズ５１０の材質はガラスや樹脂などとすることができる。また、レンズ５１０は無色でも有色でもよい。アイウエアアクセサリ５００のレンズ５１０は、全体として、取り付けられるアイウエア１００のレンズ１１０と同様または同一のサイズおよび形状である。また、アイウエアアクセサリ５００をアイウエア１００に取り付けて使用する場合、アイウエア１００のレンズ１１０は無くてもよい。
【００３２】
アイウエアアクセサリ５００のレンズ５１０は、透過率の大きい中央部５１２と、透過率の小さい周辺部５１４、５１６と、を有する。アイウエアアクセサリ５００のレンズ５１０の周辺部５１４、５１６は、上述したアイウエア１００の周辺部１１４、１１６と同様の配置とすることができる。すなわち、アイウエアアクセサリ５００のレンズ５１０の周辺部５１４、５１６は、外側周辺部５１４ａ、内側周辺部５１４ｂ、下側周辺部５１６ａ、および上側周辺部５１６ｂ、を任意に組み合わせた配置とすることができる。また、アイウエアアクセサリ５００のレンズ５１０の周辺部５１４、５１６は、上述したアイウエア１００の周辺部１１４、１１６において説明した構成と同様の構成で透過率を小さくすることができる。
【００３３】
本開示によるアイウエアアクセサリ５００は、アイウエア１００に着脱可能に構成される。アイウエアアクセサリ５００は、様々な手段でアイウエア１００に着脱可能に構成することができる。一実施形態において、アイウエアアクセサリ５００は、磁気的な手段でアイウエア１００に着脱可能に構成される。一実施形態において、アイウエア１００のフレーム１２０の前側表面に永久磁石を配置し、アイウエアアクセサリ５００のフレーム５２０の裏側（使用者側）表面に強磁性体を配置することで、磁気的に着脱可能に構成することができる。永久磁石の配置場所は、たとえば、アイウエア１００のリム１２２、ブリッジ１２４、およびヨロイ１２６の少なくとも一部とすることができる。この場合、アイウエアアクセサリ５００側において、アイウエア１００の永久磁石に対応する位置に強磁性体を配置する。また、アイウエア１００に強磁性体を配置し、アイウエアアクセサリ５００に永久磁石を配置してもよい。
【００３４】
一実施形態において、アイウエアアクセサリ５００は、機械的な手段でアイウエア１００に着脱可能に構成される。一実施形態において、ネジによりアイウエアアクセサリ５００をアイウエア１００に着脱可能に構成することができる。たとえば、アイウエア１００のヨロイ１２６およびアイウエアアクセサリ５００のヨロイ５２６にネジ穴を設けることができる。また、一実施形態において、スナップフィットによりアイウエアアクセサリ５００をアイウエア１００に着脱可能に構成することができる。たとえば、アイウエアアクセサリ５００のフレーム５２０の一部に、アイウエア１００のフレーム１２０にかみ合う爪部を設けて、爪部によりアイウエアアクセサリ５００をアイウエア１００に着脱可能に構成することができる。あるいは、アイウエアアクセサリ５００のフレーム５２０の少なくとも一部を摩擦係数の大きなゴムまたは樹脂、あるいは弾性材料などで形成し、かかる摩擦係数の大きな材料や弾性材料でアイウエア１００のフレーム１２０の一部を覆うまたは挟むように構成してもよい。
【００３５】
一実施形態において、アイウエアアクセサリ５００は、アイウエア１００に取り付けたときに、電気的および／または磁気的にアイウエア１００と連絡可能に構成される。たとえば、アイウエアアクセサリ５００のフレーム５２０およびアイウエア１００のフレーム１２０にそれぞれ端子を設けて、アイウエアアクセサリ５００をアイウエア１００に取り付けたときにこれらの端子が接続されるように構成することができる。端子は、たとえばブリッジ１２４、５２４、リム１２２、５２２、およびヨロイ１２６、５２６のいずれかに設けることができる。アイウエアアクセサリ５００をアイウエア１００に電気的および／または磁気的に接続することで、たとえば、アイウエア１００のバッテリ１７０から、アイウエアアクセサリ５００に電力を供給することができる。そのため、アイウエアアクセサリ５００自体はバッテリを備えていなくとも、電磁気的な手段で周辺部５１４、５１６の透過率を小さくすることができ、またアイウエア１００の処理装置２００または外部装置３００と通信可能とすることができる。一実施形態において、アイウエアアクセサリ５００は、上述したジャイロセンサ１６０、加速度センサ１６５やその他のセンサを備えてもよい。これらのアイウエアアクセサリ５００に設けられたセンサについても、端子を介してアイウエア１００のバッテリ１７０により駆動させることができ、またセンサの出力をアイウエア１００に伝達可能である。
【００３６】
図７は一実施形態によるアイウエアアクセサリ５００を前方から模式的に示す斜視図である。図８は、図７に示されるアイウエアアクセサリ５００がアイウエア１００に取り付けられるときの様子を示す斜視図である。図７に示される実施形態によるアイウエアアクセサリ５００は、上述のヨロイ５２６から後方（使用者側）に延びる遮蔽部５３０を備える。遮蔽部５３０は、図８に示されるように、アイウエアアクセサリ５００がアイウエア１００に取り付けられた状態で、レンズ１１０、５１０の後方（使用者側）であり、且つ、テンプル１３０の下側の空間の一部を遮蔽する。そのため、図７、８に示されるアイウエアアクセサリ５００は、使用者の周辺視野をより遮蔽することができる。図７、８に示されるアイウエアアクセサリ５００は、遮蔽部５３０を備えること以外は、図５、６とともに説明した実施形態の任意の構成を備えることができる。なお、図示の実施形態によるアイウエア１００は、テンプル１３０がレンズ１１０の相対的に上側の位置から後方に延びているが、他の実施形態として、アイウエア１００は、テンプル１３０がレンズ１１０の中央付近または相対的に下側の位置から後方に延びるように構成されてもよい。その場合、アイウエアアクセサリ５００の遮蔽部５３０は、アイウエア１００のテンプル１３０の上側の空間の一部を遮蔽するように構成してもよく、またテンプル１３０の上側および下側の両方の空間の一部を遮蔽するように構成してもよい。さらに、一実施形態において、遮蔽部５３０は、レンズ５１０を支持するリム５２２から後側（使用者側）に延びるように設けられてもよい。たとえば、遮蔽部５３０は、レンズ５１０の上側の縁を支持するリム５２２の部分から後側に延びるように設けられてもよい。この場合、使用者の上方向の周辺視野を遮蔽することができる。また、一例として、遮蔽部５３０は、レンズ５１０の下側の縁を支持するリム５２２の部分から後側に延びるように設けられてもよい。この場合、使用者の下方向の周辺視野を遮蔽することができる。また、一実施形態において、遮蔽部５３０は無くてもよい。
【００３７】
上述の実施形態から少なくとも以下の技術的思想が把握される。
［形態１］形態１によれば、アイウエアが提供され、かかるアイウエアは、中央部と周辺部とを備えるレンズを有し、前記レンズは、使用者が前記アイウエアを装着した状態で使用者から見た場合において、前記レンズの前記中央部は透過率が相対的に大きく、前記レンズの前記周辺部は透過率が相対的に小さい。
【００３８】
［形態２］形態２によれば、形態１によるアイウエアにおいて、前記周辺部は、低透過層を有する。
【００３９】
［形態３］形態３によれば、形態２によるアイウエアにおいて、前記周辺部は、視界制御材料を有する。
【００４０】
［形態４］形態４によれば、形態１から形態３のいずれか１つの形態によるアイウエアにおいて、さらに、使用者の状態を検知するためのセンサを有する。
【００４１】
［形態５］形態５によれば、形態４によるアイウエアにおいて、前記センサで検知した使用者の状態に応じて、前記レンズの前記周辺部の透過率が変更されるように構成される。
【００４２】
［形態６］形態６によれば、アイウエアが提供され、かかるアイウエアは、中央部と周辺部とを備えるレンズを有し、前記レンズの前記中央部および前記周辺部は焦点距離が異なり、前記中央部は、光が使用者の網膜上に結像する焦点距離を備え、前記周辺部は、光が使用者の網膜上に結像しない焦点距離を備える。また、形態６によるアイウエアにおいて、使用者の状態を検知するためのセンサを備えてもよい。
【００４３】
［形態７］形態７によれば、形態１から形態６のいずれか１つの形態によるアイウエアにおいて、前記レンズの周辺部は、使用者が前記アイウエアを装着した状態で使用者から見て前記レンズの横方向の外側および内側の少なくとも一方に位置する。
【００４４】
［形態８］形態８によれば、形態１から形態７のいずれか１つの形態によるアイウエアにおいて、前記レンズの周辺部は、使用者が前記アイウエアを装着した状態で使用者から見て前記レンズの縦方向の上側および下側の少なくとも一方に位置する。
【００４５】
［形態９］形態９によれば、形態１から形態８のいずれか１つの形態によるアイウエアにおいて、さらに、使用者が前記アイウエアを装着した状態で使用者から見て、前記レンズの後方に延びるテンプルと、使用者が前記アイウエアを装着した状態で使用者から見て、前記レンズの後方であり、且つ、前記テンプルの上方向および下方向の少なくとも一方の空間の少なくとも一部を遮蔽するための遮蔽部と、を有する。
【００４６】
［形態１０］形態１０によれば、アイウエアに着脱可能なアイウエアアクセサリが提供され、かかるアイウエアアクセサリは、中央部と周辺部とを備えるレンズを有し、使用者が前記アイウエアアクセサリが取り付けられた前記アイウエアを装着した状態で使用者から見た場合に、前記レンズの前記中央部は透過率が相対的に大きく、前記レンズの前記周辺部は透過率が相対的に小さい。
【００４７】
［形態１１］形態１１によれば、形態１０によるアイウエアアクセサリにおいて、前記周辺部は、低透過層を有する。
【００４８】
［形態１２］形態１２によれな、形態１１によるアイウエアアクセサリにおいて、前記周辺部は、視界制御材料を有する。
【００４９】
［形態１３］形態１３によれば、形態１０から形態１２のいずれか１つの形態によるアイウエアアクセサリにおいて、アイウエアは、使用者の状態を検知するためのセンサを有し、前記アイウエアアクセサリは、前記センサで検知した使用者の状態に応じて、前記レンズの前記周辺部の透過率が変更されるように構成される。
【００５０】
［形態１４］形態１４によれば、アイウエアに着脱可能なアイウエアアクセサリが提供され、かかるアイウエアアクセサリは中央部と周辺部とを備えるレンズを有し、前記レンズの前記中央部および前記周辺部は焦点距離が異なり、前記中央部は、光が使用者の網膜上に結像する焦点距離を備え、前記周辺部は、光が使用者の網膜上に結像しない焦点距離を備える。
【００５１】
［形態１５］形態１５によれば、形態１０から形態１４のいずれか１つの形態によるアイウエアアクセサリにおいて、前記レンズの周辺部は、使用者が前記アイウエアアクセサリを取り付けたアイウエアを装着した状態で使用者から見て前記レンズの横方向の外側および内側の少なくとも一方に位置する。
【００５２】
［形態１６］形態１６によれば、形態１０から形態１５のいずれか１つの形態によるアイウエアアクセサリにおいて、前記レンズの周辺部は、使用者が前記アイウエアアクセサリを取り付けたアイウエアを装着した状態で使用者から見て前記レンズの縦方向の上側および下側の少なくとも一方に位置する。
【００５３】
［形態１７］形態１７によれば、形態１０から形態１６のいずれか１つの形態によるアイウエアアクセサリにおいて、アイウエアは、使用者が前記アイウエアを装着した状態で使用者から見て、前記レンズの後方に延びるテンプルを有し、前記アイウエアアクセサリは、アイウエアに取り付けられた状態において、前記アイウエアアクセサリの前記レンズの後方であり、且つ、アイウエアの前記テンプルの上方向および下方向の少なくとも一方の空間の少なくとも一部を遮蔽するための遮蔽部と、を有する。
【００５４】
［形態１８］形態１８によれば、形態１０から形態１７のいずれか１つの形態によるアイウエアアクセサリにおいて、前記アイウエアアクセサリは機械式または磁気式にアイウエアに取り付けられるように構成される。
【００５５】
［形態１９］形態１９によれば、アイウエアまたはアイウエアアクセサリに使用されるレンズが提供され、かかるレンズは中央部と周辺部とを有し、使用者が前記レンズが取り付けられたアイウエアまたはアイウエアアクセサリを装着した状態で使用者から見た場合に、前記レンズの前記中央部は透過率が相対的に大きく、前記レンズの前記周辺部は透過率が相対的に小さい。
【００５６】
［形態２０］形態２０によれば、形態１９によるレンズにおいて、前記周辺部は、低透過層を有する。
【００５７】
［形態２１］形態２１によれば、形態２０に記載のレンズにおいて、前記周辺部は、視界制御材料を有する。
【００５８】
［形態２２］形態２２によれば、アイウエアまたはアイウエアアクセサリに使用されるレンズが提供され、かかるレンズは、中央部と周辺部とを有し、前記レンズの前記中央部および前記周辺部は焦点距離が異なり、前記中央部は、光が使用者の網膜上に結像する焦点距離を備え、前記周辺部は、光が使用者の網膜上に結像しない焦点距離を備える。
【符号の説明】
【００５９】
１００…アイウエア
１１０…レンズ
１１２…中央部
１１４…周辺部
１１４ａ…外側周辺部
１１４ｂ…内側周辺部
１１６…周辺部
１１６ａ…下側周辺部
１１６ｂ…上側周辺部
１２０…フレーム
１２２…リム
１２４…ブリッジ
１２６…ヨロイ
１２８…ヒンジ
１３０…テンプル
１３１…遮蔽部
１３２…モダン
１４０…ノーズパッド
１５０…眼電位センサ
１６０…ジャイロセンサ
１６５…加速度センサ
１７０…バッテリ
２００…処理装置
３００…外部装置
５００…アイウエアアクセサリ
５１０…レンズ
５１２…中央部
５１４…周辺部
５１４ａ…外側周辺部
５１４ｂ…内側周辺部
５１６…周辺部
５１６ａ…下側周辺部
５１６ｂ…上側周辺部
５２０…フレーム
５２２…リム
５２４…ブリッジ
５２６…ヨロイ
５３０…遮蔽部
【図１】
2020030390.tif 000003
【図２】
2020030390.tif 000004
【図３】
2020030390.tif 000005
【図４】
2020030390.tif 000006
【図５】
2020030390.tif 000007
【図６】
2020030390.tif 000008
【図７】
2020030390.tif 000009
【図８】
2020030390.tif 000010
【図９】
2020030390.tif 000011
【図１０】
2020030390.tif 000012